(57)【要約】【課題】データベース作成等の準備作業を行うための労力を軽減でき、中古品の買取価格の均一化や算出作業の容易化を図ることができるようにすること。【解決手段】中古品買取システム１０は、インターネット網１１を介して各情報６０〜６６の送受信を行うサーバ２０、ＰＯＳ端末装置３０を備えて構成されている。インターネット網１１には、中古品を販売する電子商取引サイトを運営する運営サーバ４０が接続されている。ＰＯＳ端末装置３０は、中古品の識別情報６０を入力する入力手段３１と、識別情報６０を運営サーバ４０のサイト用データベース４１から検索してサイト販売価格情報６１を取得する検索手段３２と、この検索手段３２が取得した情報を運営サーバ４０から受信する受信手段３３と、サイト販売価格情報６１に設定係数Ｃ２を用いた演算を行って店舗における買取価格を算出する演算手段３４とを備えている。【選択図】図１
2007304671.tif 000002
【特許請求の範囲】
【請求項１】
店舗に設置されるとともに、インターネット網を介して接続される端末装置を備えた中古品買取システムにおいて、
前記インターネット網には、中古品を販売する電子商取引サイトを運営する運営サーバが接続され、この運営サーバは、中古品の識別情報と、これに関連付けされたサイト販売価格情報とを記憶するサイト用データベースを備え、
前記端末装置は、中古品の識別情報を入力する入力手段と、
この入力手段を介して入力された識別情報をサイト用データベースから検索してサイト販売価格情報を取得する検索手段と、
この検索手段が取得した情報を運営サーバから受信する受信手段と、
この受信手段が受信したサイト販売価格情報に設定係数を用いた演算を行って店舗における買取価格を算出する演算手段と、
を備えていることを特徴とする中古品買取システム。
【請求項２】
複数の店舗にそれぞれ設置されるＰＯＳ端末装置と、当該ＰＯＳ端末装置にインターネット網を介して接続されるサーバとを備えた中古品買取システムにおいて、
前記インターネット網には、中古品を販売する電子商取引サイトを運営する運営サーバが接続され、この運営サーバは、中古品の識別情報と、これに関連付けされたサイト販売価格情報及び新品価格情報とを記憶するサイト用データベースを備え、
前記サーバは、中古品の識別情報と、これに関連付けされた店舗買取価格情報とを記憶するサーバ用データベースを含み、
前記ＰＯＳ端末装置は、中古品の識別情報を入力する入力手段と、
この入力手段を介して入力された識別情報をサーバ用データベース及びサイト用データベースから検索し、店舗買取価格情報、サイト販売価格情報及び新品価格情報を取得する検索手段と、
この検索手段が取得した情報をサーバ及び運営サーバから受信する受信手段と、
店舗における買取価格を算出する演算手段とを備え、
前記演算手段は、受信手段がサーバ用データベースから店舗買取価格情報を受信した場合、当該店舗買取価格情報に第１設定係数を用いた演算を行って店舗における買取価格を算出し、
店舗買取価格情報が受信されずにサイト用データベースからサイト販売価格情報を受信した場合、当該サイト販売価格情報に第２設定係数を用いた演算を行って店舗における買取価格を算出し、
店舗買取価格情報及びサイト販売価格情報の両方が受信されない場合、受信した新品価格情報に第３設定係数を用いた演算を行って店舗における買取価格を算出することを特徴とする中古品買取システム。
【請求項３】
前記演算手段は、サイト用データベースにおいて同一の識別情報に関連付けられたサイト販売価格情報が複数ある場合、これらサイト販売価格情報のうち最小値から設定順位に最も近いサイト販売価格情報を選択して前記演算を行う機能を備えていることを特徴とする請求項１又は２記載の中古品買取システム。
【発明の詳細な説明】
【技術分野】
【０００１】
本発明は、中古品買取システムに係り、更に詳しくは、いわゆる古本屋等の店舗において中古品の買取価格を算出可能な中古品買取システムに関する。
【背景技術】
【０００２】
従来より、古本屋等の店舗にあっては、書籍やＣＤ等の中古品の買い取りと中古品の販売とが行われている。一般に、中古品の買取価格を算出する作業は、中古品の新品時の定価等に所定の係数を乗じる等、古本屋の店員による人手を介して行われている。
【０００３】
また、店舗においては、商品となる中古品を会計処理するためにＰＯＳ端末装置が利用される場合があり、かかるＰＯＳ端末装置を用いた中古品の買取システムとして特許文献１に開示されるタイプのものが知られている。同文献では、ＰＯＳ端末装置がデータベースとの間で中古品の価格データを授受し、店舗において顧客から中古品を買い取る際の買取価格を得られるようになっている。
【特許文献１】特開平１１−６４４８２号公報
【発明の開示】
【発明が解決しようとする課題】
【０００４】
しかしながら、特許文献１にあっては、データベースに買い取る中古品に関する情報が記憶されていない場合には、ＰＯＳ端末装置を用いて買取価格を算出できなくなる。この結果、前述のような人手を介した算出作業が必要になり、当該作業が面倒になる他、同じ中古品に対して複数の店舗で買取価格にばらつきが生じ易くなる、という不都合がある。
【０００５】
ここで、前記データベースの情報量を増加させる程、前述の不都合がより改善されるものの、古本等の中古品は種類が膨大となるばかりでなく新しく発行される本も日々増加するので、これに対応するデータベース作成等を自社で行うと、その準備作業の負担が多大になる、という別異の不都合を招来する。
【０００６】
［発明の目的］
本発明は、このような不都合に着目して案出されたものであり、その目的は、データベース作成等の準備作業の労力を軽減でき、中古品の買取価格の均一化や算出作業の容易化を図ることができる中古品買取システムを提供することにある。
【課題を解決するための手段】
【０００７】
前記目的を達成するため、本発明は、店舗に設置されるとともに、インターネット網を介して接続される端末装置を備えた中古品買取システムにおいて、
前記インターネット網には、中古品を販売する電子商取引サイトを運営する運営サーバが接続され、この運営サーバは、中古品の識別情報と、これに関連付けされたサイト販売価格情報とを記憶するサイト用データベースを備え、
前記端末装置は、中古品の識別情報を入力する入力手段と、
この入力手段を介して入力された識別情報をサイト用データベースから検索してサイト販売価格情報を取得する検索手段と、
この検索手段が取得した情報を運営サーバから受信する受信手段と、
この受信手段が受信したサイト販売価格情報に設定係数を用いた演算を行って店舗における買取価格を算出する演算手段と、
を備える、という構成を採っている。
【０００８】
また、本発明は、複数の店舗にそれぞれ設置されるＰＯＳ端末装置と、当該ＰＯＳ端末装置にインターネット網を介して接続されるサーバとを備えた中古品買取システムにおいて、
前記インターネット網には、中古品を販売する電子商取引サイトを運営する運営サーバが接続され、この運営サーバは、中古品の識別情報と、これに関連付けされたサイト販売価格情報及び新品価格情報とを記憶するサイト用データベースを備え、
前記サーバは、中古品の識別情報と、これに関連付けされた店舗買取価格情報とを記憶するサーバ用データベースを含み、
前記ＰＯＳ端末装置は、中古品の識別情報を入力する入力手段と、
この入力手段を介して入力された識別情報をサーバ用データベース及びサイト用データベースから検索し、店舗買取価格情報、サイト販売価格情報及び新品価格情報を取得する検索手段と、
この検索手段が取得した情報をサーバ及び運営サーバから受信する受信手段と、
店舗における買取価格を算出する演算手段とを備え、
前記演算手段は、受信手段がサーバ用データベースから店舗買取価格情報を受信した場合、当該店舗買取価格情報に第１設定係数を用いた演算を行って店舗における買取価格を算出し、
店舗買取価格情報が受信されずにサイト用データベースからサイト販売価格情報を受信した場合、当該サイト販売価格情報に第２設定係数を用いた演算を行って店舗における買取価格を算出し、
店舗買取価格情報及びサイト販売価格情報の両方が受信されない場合、受信した新品価格情報に第３設定係数を用いた演算を行って店舗における買取価格を算出する、という構成を採っている。
【０００９】
本発明において、前記演算手段は、サイト用データベースにおいて同一の識別情報に関連付けられたサイト販売価格情報が複数ある場合、これらサイト販売価格情報のうち最小値から設定順位に最も近いサイト販売価格情報を選択して前記演算を行う機能を備える、という構成も好ましくは採用される。
【発明の効果】
【００１０】
本発明によれば、他社等の電子商取引サイトの情報を利用して店舗の買取価格情報を算出することが可能となる。ここで、電子商取引サイトは、その顧客吸引力を維持すべく、多大なデータ量のサイト用データベースを備えた運営サーバにより運営されている。
従って、電子商取引サイトの情報を取得、演算することによって、人手により買取価格を算出する必要性を最小限に抑制可能となる。これにより、殆どの中古品に対し、サイト用データベースの情報から買取価格を容易且つ迅速に算出することができる。また、複数の店舗でＰＯＳ端末装置を使用する場合には、店舗間での買取価格のばらつきを防止でき、ひいては、中古品の価格管理の負担も軽減することが可能となる。
しかも、自己管理するサーバ用データベースを併用する場合、当該サーバ用データベースの情報とサイト用データベースの情報とを使い分けることができる。これにより、例えば、サーバ用データベースに記憶させる情報は、取引数が比較的多いと予想される中古品だけにする等、データベース作成作業の省力化を図ることができ、買い取り業務を行う前の事前作業の負担を軽減しつつ、システム内の中古品の買取価格の管理を行い易くすることが可能となる。
更には、電子商取引サイトの販売価格は多数の顧客ニーズによって短時間で大きく変化する傾向があるものの、これに略リアルタイムに簡単に対応することができ、店舗において、市場の顧客ニーズと店舗の在庫や利益とのバランスが良好に保たれた買取価格の設定を行うことが可能となる。
【００１１】
また、複数のサイト販売価格情報のうち最小値から設定順位のサイト販売価格情報を選択して買取価格情報の算出を行うことにより、電子商取引サイトにより形成される市場の状況に沿った買取価格情報を得ることが可能となる。
【発明を実施するための最良の形態】
【００１２】
以下、本発明の実施の形態について図面を参照しながら説明する。
【００１３】
図１には、本発明に係る中古品買取システムの概略構成図が示されている。この図において、中古品買取システム１０は、特に限定されるものでないが、本実施形態では、中古品の販売及び買い取り業務を行うため、複数のチェーン店やフランチャイズ店の店舗やそれらの本部で利用される。
この中古品買取システム１０は、インターネット網１１を介して後述する各情報の送受信を行うサーバ２０と複数台のＰＯＳ端末装置３０を備えている。また、インターネット網１１には、電子商取引サイトを運営する運営サーバ４０が接続されている。
ここで、前記中古品は、種々のものが採用され、書籍、ＣＤ、ＤＶＤ、ゲームソフト、トレーディングカードの他、衣服や家具等を例示でき、顧客が使用済みの商品だけでなく未使用品も含まれる。
【００１４】
ここで、本実施形態に用いられる情報は、図２に示されるように、前記中古品の識別情報６０と、これに関連付けされたサイト販売価格情報６１、店舗買取価格情報６２、買取価格情報６３、新品価格情報６４、限界価格情報６５、在庫情報６６及び暫定価格情報６７とがある。
識別情報６０は、中古品に予め付されているバーコード等から当該中古品を特定し、他の中古品と区別するための情報とされる。
サイト販売価格情報６１は、前記電子商取引サイトで公開されている中古品の販売価格とされ、同じ種類の中古品が複数あると、同一の識別情報６０に関連付けされるサイト販売価格情報６１も複数種類になる場合がある。
店舗買取価格情報６２は、前記店舗の売り場にて、中古品の買い取り希望の顧客に対して提示する当該中古品の最良若しくは所定条件の買取価格とされる。
買取価格情報６３は、後述する買い取り処理を行うことにより算出される買取価格とされる。
新品価格情報６４は、その中古品の新品時の販売価格或いはメーカー希望小売価格とされる。
限界価格情報６５は、前記店舗の売り場において、中古品の買取価格として許容される最低限の価格、或いは、当該価格が算出されるよう、新品価格情報６４に乗算若しくは減算する係数とされる。
在庫情報６６は、全ての店舗全体又は各店舗毎の中古品に関する在庫数とされる。
暫定価格情報６７は、後述する買い取り処理の中途段階で用いられる価格情報とされる。
【００１５】
前記サーバ２０は、前記本部に設置されるコンピュータにより構成されるとともに、所定のインターフェイスを介して前記インターネット網１１に接続され、前記ＰＯＳ端末装置３０及び運営サーバ４０との間で情報の送受信を行えるようになっている。
図１に示されるように、サーバ２０は、中古品に関する各種情報を記憶及び管理可能なサーバ用データベース２１（以下、「サーバ用ＤＢ２１」とする）を備えており、このサーバ用ＤＢ２１には、後述する買い取り処理を行う前に、少なくとも複数の中古品の識別情報６０及びこれに関連付けされた店舗買取価格情報６２、新品価格情報６４、限界価格情報６５及び在庫情報６６がサーバ管理者等により予め記憶されている。
【００１６】
前記ＰＯＳ端末装置３０は、前記各店舗に少なくとも一台それぞれ設置されて前記インターネット網１１に接続されている。各ＰＯＳ端末装置３０は、公知のＰＯＳ端末と同様の販売処理や入出金処理、会計処理を行う機能と、パーソナルコンピュータと略同等の機能とをそれぞれ備えている。具体的には、図３に示されるように、入力手段３１と、検索手段３２と、受信手段３３と、演算手段３４とを含んで構成されている。
入力手段３１は、前記識別情報６０を入力可能に設けられ、例えば、バーコードを読み込むスキャナ等からなる。
検索手段３２は、入力手段３１を介して入力された識別情報６０を検索キーとして、当該識別情報６０に一致する識別情報６０をサーバ用ＤＢ２１及び後述するサイト用データベース４１（以下、「サイト用ＤＢ４１」とする）から検索し、識別情報６０に関連付けられて演算手段３４の処理に必要な情報の有無をチェックし、取得する。
受信手段３３は、検索手段３２が取得した情報をサーバ２０及び運営サーバ４０から受信する。
演算手段３４は、受信手段３３が受信した店舗買取価格情報６２に対して第１設定係数Ｃ１を用い、サイト販売価格情報６１に対して第２設定係数Ｃ２を用い、新品価格情報６４に対して第３設定係数Ｃ３を用いて乗算若しくは減算する等の処理を行うことにより暫定価格情報６７を算出する機能を備えている。
また、演算手段３４は、複数のサイト販売価格情報６１のうち、最小値から設定順位Ｒに最も近いサイト販売価格情報６１を選択する機能と、暫定価格情報６７と限界価格情報６５とを比較して買取価格情報６３を求める機能とを備えている。
ここで、前記各設定係数Ｃ１〜Ｃ３及び設定順位Ｒは、後述の買い取り処理の前に予め設定されており、演算手段３４に記憶させておく他、前記サーバ用ＤＢ２１に記憶して受信手段３３を介して受信し、演算手段３４で用いてもよい。また、各設定係数Ｃ１〜Ｃ３は、後述する条件に応じて複数種用いられる場合がある。
【００１７】
なお、ここでは、図示省略しているが、ＰＯＳ端末装置３０に含まれる構成として、タッチパネルやカードリーダー、マウス等の入力装置、前記タッチパネルを含むディスプレイ等の表示装置、金銭を出し入れするためのドロア等が例示できる。
【００１８】
前記運営サーバ４０は、中古品の他、当該中古品と同じ商品を新品で販売する電子商取引サイトを運営している。
図１に示されるように、運営サーバ４０は、サイト用ＤＢ４１を備えており、このサイト用ＤＢ４１には、電子商取引サイトを運営すべく、多数の中古品の識別情報６０及びこれに関連付けされたサイト販売価格情報６１、新品価格情報６４が記憶されている。
【００１９】
次に、中古品買取システム１０の買い取り処理について、図４のフローチャートを用いて説明する。
【００２０】
先ず、店舗において、ＰＯＳ端末装置３０の入力手段３１を介して顧客が買い取りを希望する中古品のバーコード等を読み取り、当該中古品の識別情報６０を入力する（ステップＳ１）。
この入力を終えると、検索手段３２により識別情報６０を検索キーとして、当該識別情報６０に一致する識別情報６０をサーバ用ＤＢ２１及び後述するサイト用ＤＢ４１から検索し、識別情報６０に関連付けされたサイト販売価格情報６１、店舗買取価格情報６２、新品価格情報６４、限界価格情報６５及び在庫情報６６を取得する（ステップＳ２，Ｓ３）。
【００２１】
そして、サーバ用ＤＢ２１において店舗買取価格情報６２の有無をチェックする（ステップＳ４）。
店舗買取価格情報６２がある場合、在庫情報６６に応じて異なる第１設定係数Ｃ１を店舗買取価格情報６２に乗算して暫定価格情報６７を算出する（ステップＳ５）。
このステップＳ４，Ｓ５により、例えば、在庫情報６６が１０個以上のときに、店舗買取価格情報６２に第１設定係数Ｃ１「０．５」を乗算し、１０個未満のときは第１設定係数Ｃ１「１」を乗算すなわち店舗買取価格情報６２を変化なしとすることにより、同一種類の中古品の在庫数が１０個以上となって比較的在庫数が多くなる場合には、暫定価格情報６７を安く（半額に）する等、在庫数に応じた買取価格を設定でき、在庫過剰を回避したり販売価格を調整したりすることが可能となる。
【００２２】
前記ステップＳ４において、店舗買取価格情報６２がない場合、サイト用ＤＢ４１におけるサイト販売価格情報６１の有無をチェックする（ステップＳ６）。
サイト販売価格情報６１がある場合、演算手段３４にて同一の識別情報６０に関連付けられた複数のサイト販売価格情報６１のうち、最小値から設定順位Ｒに最も近いサイト販売価格情報６１を選択する（ステップＳ７）。
つまり、例えば、設定順位Ｒを「３」とし、同一種類の中古品が６個あり、それら中古品のサイト販売価格情報６１が、４００円、４２０円、４５０円、４８０円、５００円、５２０円となる場合、「４５０円」が選択される。また、設定順位Ｒを「３」、中古品が２個でサイト販売価格情報６１が、４８０円、５００円であれば、「５００円」が選択され、中古品が１個すなわちサイト販売価格情報６１が単数であれば、そのサイト販売価格情報６１がそのまま次のステップで処理される。
【００２３】
ステップ７で処理されたサイト販売価格情報６１は、第２設定係数Ｃ２を用いて乗算若しくは減算する処理が演算手段３４にて行われ、暫定価格情報６７が算出される（ステップＳ８）。
このステップＳ７，Ｓ８において、電子商取引サイトの販売価格に対し、店舗での販売価格が近付くようにしつつ、利益額が希望に近くなるような買取価格に設定することが可能となる。
つまり、ステップ７を経たサイト販売価格情報６１が「５００円」で、ステップ８で第２設定係数Ｃ２「０．３」を乗じる場合、暫定価格情報６７が「１５０円」と算出されて店舗販売価格を「５００円」とすると、「３５０円」の利益（荒利益）が得られるようになる。また、ステップ８で第２設定係数Ｃ２「３００円」を減じる場合、暫定価格情報６７が「２００円」と算出されて店舗販売価格を「５００円」とすると、「３００円」の利益（荒利益）が得られるようになる。
また、ステップ７では、電子商取引サイト中において、高過ぎず安過ぎない丁度良いサイト販売価格情報６１を選択して暫定価格情報６７を算出することが可能となる。
【００２４】
前記ステップＳ６において、サイト用ＤＢ４１にサイト販売価格情報６１がない場合、新品価格情報６４に第３設定係数Ｃ３を乗算して暫定価格情報６７を算出する（ステップＳ９）。
このステップＳ９において、例えば、新品価格情報６４が「１０００円」で、第３設定係数Ｃ３「０．２」を乗じることにより、暫定価格情報６７を２００円に設定することができる。
【００２５】
前記ステップＳ５、ステップＳ８又はステップＳ９を経て算出された暫定価格情報６７は、限界価格情報６５と比較される（ステップ１０）。
暫定価格情報６７が限界価格情報６５より大きい場合、暫定価格情報３７がそのまま買取価格情報６３とされ（ステップＳ１１）、暫定価格情報６７が限界価格情報６５以下の場合、限界価格情報６５が買取価格情報６３とされる（ステップＳ１２）。これにより、暫定価格情報３７が極端に安くなることを防止することが可能となる。
【００２６】
このような処理の流れによれば、自社のサーバ用ＤＢ２１の情報を優先しつつ、電子商取引サイトの情報を利用して中古品の買取価格情報６３を算出することができる。これにより、サーバ用ＤＢ２１の情報量が比較的少なくても買い取り業務を支障なく行えるようになり、事前準備作業の負担軽減を図ることができる他、電子商取引サイトの販売価格とリアルタイムに連動した買取価格情報６３を設定することが可能となる。
【００２７】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対する種々の構成において、当業者が様々な変形を加えることができるものである。
【００２８】
例えば、サイト販売価格情報６１、店舗買取価格情報６２、新品価格情報６４或いは暫定価格情報６７に対し、中古品の発売日からの経過期間や外観状態、コンディション、顧客が有するサービスポイント等に応じて異なる設定係数を乗算又は減算する処理を更に行い、買取価格情報６３を算出してもよい。
また、前述のように、算出された買取価格情報６３をサーバ用ＤＢ２１に記憶させる機能や、中古品の売買処理に応じてサーバ用ＤＢ２１の在庫情報６６をリアルタイムに変更させる機能を付加してもよい。
更に、前記実施形態におけるサーバ２０を省略するとともに、買い取り処理のステップＳ２，Ｓ４，Ｓ５も省略した構成としてもよい。但し、サーバ２０を設置して各ステップＳ２，Ｓ４，Ｓ５を行った方が、システム全体の在庫管理や価格管理が行い易くなる点で有利となる。
また、ＰＯＳ端末装置３０に代えてパーソナルコンピュータとすることも可能であるが、入集金処理や各種の会計処理を店舗の売り場で行うことを考慮すると、ＰＯＳ端末装置３０とすることが好ましい。
【産業上の利用可能性】
【００２９】
本発明は、主に、本部機構と複数の店舗とで展開される古本等の中古品売買業務に利用される。
【図面の簡単な説明】
【００３０】
【図１】実施形態に係る中古品買取システムの概略構成図。
【図２】前記実施形態で用いられる情報の概略構成図。
【図３】ＰＯＳ端末装置の構成を示すブロック図。
【図４】中古品の買い取り処理を示すフローチャート。
【符号の説明】
【００３１】
１０  中古品買取システム
１１  インターネット網
２０  サーバ
３０  ＰＯＳ端末装置
４０  運営サーバ
６０  識別情報
【図１】
2007304671.tif 000003
【図２】
2007304671.tif 000004
【図３】
2007304671.tif 000005
【図４】
2007304671.tif 000006